(57)【要約】  本発明は、まつ毛適用練習装置に関する。練習装置は、フェイス・セクションを備えたヘッドと、ヘッドを支持するためのベースとを含み、フェイス・セクションは、複数のアイ・ゾーンを有しており、アイ・ゾーンは、複数の変位可能なパーツを含み、複数の変位可能なパーツは、クロージャー・メカニズムを備えた少なくとも１つのまぶたを含み、クロージャー・メカニズムは、少なくとも１つのまぶたが、目を見開いた第１の位置と目を閉じた第２の位置との間の複数の別個の位置のうちの１つに変位させられることを可能にする。
2019508199.tif 000002
【特許請求の範囲】
【請求項１】
まつ毛エクステンションの適用を練習するための装置であって、前記装置は、フェイス・セクションを備えたヘッドと、前記ヘッドを支持するためのベースとを含み、前記フェイス・セクションは、複数のアイ・ゾーンを有しており、前記アイ・ゾーンは、複数の変位可能なパーツを含み、前記複数の変位可能なパーツは、クロージャー・メカニズムを備えた少なくとも１つのまぶたを含み、前記クロージャー・メカニズムは、前記少なくとも１つのまぶたが、目を見開いた第１の位置と目を閉じた第２の位置との間の複数の別個の位置のうちの１つに変位させられることを可能にする、装置。
【請求項２】
１つの変位可能なパーツは、上まぶたである、請求項１に記載の装置。
【請求項３】
１つの変位可能なパーツは、下側まぶたである、請求項１または２に記載の装置。
【請求項４】
変位可能なパーツは、使用時に前記まぶたの上に配置されているまつ毛を含む、請求項１から３のいずれか一項に記載の装置。
【請求項５】
前記アイ・ゾーンの一部は、垂直方向に変位可能である、請求項１から４のいずれか一項に記載の装置。
【請求項６】
垂直方向に変位可能な前記一部は、レバーによって変位させられる、請求項５に記載の装置。
【請求項７】
前記レバーは、前記フェイス・セクションの側部に設けられている、請求項６に記載の装置。
【請求項８】
前記アイ・ゾーンは、独立して変位可能なパーツを含む、請求項１から７のいずれか一項に記載の装置。
【請求項９】
前記ヘッドは、前記ベースの上で可動である、請求項１から８のいずれか一項に記載の装置。
【請求項１０】
前記ヘッドは、ボール・ジョイントによって前記ベースの上で可動である、請求項９に記載の装置。
【請求項１１】
前記クロージャー・メカニズムは、ラチェットを含む、請求項１から１０のいずれか一項に記載の装置。
【請求項１２】
前記クロージャー・メカニズムは、電気スイッチによって制御される、請求項１から１１のいずれか一項に記載の装置。
【請求項１３】
図を参照して実質的に本明細書で説明されているような装置。
【発明の詳細な説明】
【技術分野】
【０００１】
本発明は、まつ毛適用練習装置に関し、とりわけ、フェイスを含む練習装置に関し、より具体的には、それに限定されないが、まつ毛エクステンションまたはメイクアップの適用を練習するためのアイ・ゾーンを備えたフェイスを含む練習装置に関する。
【背景技術】
【０００２】
多くの社会において、物理的な外見に焦点が当てられて意識が高まっており、同時期に起こる自由時間の欠如は、多くの人がプロフェッショナル・サービスを求めることにつながる。とりわけ、多くの人は、アイラッシュ・テクニシャン、メイクアップ・アーティスト、およびビューティシャンからの助けを求める可能性がある。したがって、そのようなユーザーは、自分のスキルを磨く必要性を有している。これらのスキルは、人に対して練習されることが多いが、トレーニング目的のために人々が利用可能でない可能性がある場合があり、または、スキルがマネキンの上で容易に教えられるようなものである可能性がある場合がある。しかし、既存のマネキンは、適用プロセスを実物そっくりにする特徴を欠如しており、したがって、十分なトレーニング支援器具を提供していない。
【０００３】
したがって、先行技術の複数の特許出願が、この問題またはそれに類するものを解決しようと試みて出願されており、それらは、以下を含む。
【０００４】
韓国特許出願ＫＲ２０１４００９４１９８（ＳＨＩＮ）は、半永久的なメイクアップを練習するためのマネキンに関する。
【０００５】
仏国特許出願ＦＲ２５３３４５２（ＢＥＲＣＨＥＴ）は、ヘッドを開示しており、その外観は修正され得る。
【０００６】
日本特許出願ＪＰ２０１５０８５０６６（ＭＩＴＳＵＹＡ）は、マネキンのまぶた部分に接着されるまぶた形成テープを開示している。
【０００７】
米国特許出願ＵＳ２００８／０２９３３２４（ＦＲＩＥＤＬＡＮＤ）は、可動のまぶたピースと、可動の顎ピースと、それらのピースを動作させるための少なくとも１つのモーターとを備えたおもちゃの人形を開示している。
【０００８】
米国特許出願ＵＳ２００９／０１１１０８１（ＮＹＬＥＮ）は、眼科外科手術シミュレーション・デバイスを開示している。
【０００９】
米国特許出願ＵＳ２０１５／００７２３１７（ＤＡＮＡ）は、ツールのための貯蔵部を備えたマネキン・ヘッドを開示している。
【００１０】
日本特許出願ＪＰ２０１２１７０６５４（ＳＵＧＩＹＡＭＡ）は、マネキン人形のヘッドを提供しており、それは、簡単な構造を有しており、義眼およびウィッグの交換を容易にする。
【００１１】
国際特許出願ＷＯ２０１０００１１６４（ＧＲＡＣＥら）のトレーニング支援器具は、サポートと、人間の顔の少なくとも一部の皮膚を表すためにサポートに取り付けられているカバーとを含む。カバーは、人工の上側まぶたと、カバーの中の開口部を通して見ることができるようにサポートに取り付けられている人口の眼と、上側まぶたを開閉するように動作可能な手段とを含む。
【００１２】
本発明は、練習する人がマネキンの主本体部の必要なパーツだけを交換することを可能にすることによって、練習する人にかかる経済的な負担を低減させることが可能である。それに加えて、本発明は、メイクアップを練習するためにマネキンの主本体部を使用する人々のさまざまなタイプにしたがって、非専門家だけでなく、化粧品プロフェッショナルおよびメイクアップ・アーティストも、より効率的にメイクアップを練習することを可能にすることによって、技法の獲得を容易にすることが可能である。
【発明の概要】
【課題を解決するための手段】
【００１３】
本発明によれば、まつ毛エクステンションの適用を練習するための装置であって、装置は、フェイス・セクションを備えたヘッドと、ヘッドを支持するためのベースとを含み、フェイス・セクションは、複数のアイ・ゾーンを有しており、アイ・ゾーンは、複数の変位可能なパーツを含み、複数の変位可能なパーツは、クロージャー・メカニズムを備えた少なくとも１つのまぶたを含み、クロージャー・メカニズムは、少なくとも１つのまぶたが、目を見開いた第１の位置と目を閉じた第２の位置との間の複数の別個の位置のうちの１つに変位させられることを可能にする、装置が提供される。
【００１４】
有利には、このように、まつ毛エクステンション、メイクアップ、または、それに類似するものの適用をユーザーが練習することを可能にするための装置が提供され得り、一方、まぶたの位置が、リアルな人のまぶたの動きを表すために変更され得る。したがって、装置は、フェイスへのトリートメントおよび適用のためのトレーニング支援器具として使用するのに理想的である。
【００１５】
アイ・ゾーンは、装置の上に設けられている人工的な人間の目の領域、パーツ、または、パーツもしくは領域の組み合わせである。アイ・ゾーンは、それに限定されないが、眼窩、眉毛、まぶた、眼球、まつ毛、および涙管を含むことが可能である。
【００１６】
典型的に、装置は、人間の顔の上の目の領域を表すように配置されている１対のアイ・ゾーンを含む。
【００１７】
本発明のアイ・ゾーンは、少なくともまぶたを含む。
【００１８】
アイ・ゾーンの一部、または、アイ・ゾーン全体は、フェイスの上で変位可能であり得り、および／または、フェイス・セクションまたはフェイスから変位可能であり得る。たとえば、まつ毛などのようなパーツは、アイ・ゾーンから変位させられ得り、装置から除去されるようになっている。追加的に、まぶたなどのようなパーツは変位させられ得り、それが、アイ・ゾーンまたはフェイス・セクションに接続されているままの状態で、第１の位置から第２の位置へ動かされるようになっており、たとえば、目を開閉することを表す。
【００１９】
好ましくは、それぞれのアイ・ゾーンは、上まぶたおよび下まぶたを含む。そのようなまぶたは、変位可能なパーツを含み、このパーツは、フェイス・セクションまたはフェイスの他のパーツに関連して変位させられ得る。
【００２０】
いくつかの実施形態では、アイ・ゾーンは、眼球を含み、まぶたは、ユーザーの好みにしたがって、眼球の上方に閉じるように配置されている。
【００２１】
まぶたは、フェイスの上の適切な場所に固定または固着され得り、装置を使用したトレーニングの間に、まぶたが適切な場所に残ったままになることが可能である。
【００２２】
まぶたは、アイ・ゾーンの中で変位可能であり、トリートメントの間のユーザーのまぶたの動きの範囲をシミュレートするようになっている。
【００２３】
たとえば、まぶたは、フェイス・セクションまたはフェイスの中または上で、移動するか、ヒンジで動くか、枢動するか、または回転することが可能にされ得り、それは、眼球を覆うまぶたのためのクロージャー・メカニズムを提供し、または、眼球がトリートメントの間の動きの範囲を自然にシミュレートするようになることとなる領域を提供する。
【００２４】
いくつかの実施形態では、変位可能なパーツは、シミュレートされたまつ毛を含む。これは、メイクアップもしくはつけまつ毛の適用を練習するときのユーザーのために、または、まつ毛染めまたはまつ毛カールを練習するために、リアルな外見を提供する。このように、ユーザーは、有利には、装置の上の人工のまつ毛につけまつ毛を適用することを学ぶときに、複数の既存のまつ毛フォーマットを複製し、それに適応することを可能にされ得る。
【００２５】
まつ毛は、全体的に変位可能なパーツを含むことが可能であり、全体的に変位可能なパーツは、まぶたもしくはアイ・ゾーンの中へ設置されるか、または、まぶたもしくはアイ・ゾーンから変位させられる。たとえば、いくつかの実施形態では、まつ毛は、まぶたもしくはアイ・ゾーンの中のチャネルの中へ設置されてもよく、または、そのチャネルから変位させられてもよい。
【００２６】
さらなる実施形態では、まつ毛は、永久的にまたは半永久的にまぶたの上にインストールされ得る。たとえば、まつ毛は、まぶたの一体部分を形成することが可能であり、まぶたに固着されているか、または、チャネルの中に固定されている。
【００２７】
好適な実施形態では、クリップに接続されているまつ毛のアレイを備えたクリップが提供される。クリップは、まぶたに追加されるように配置されており、交換まつ毛がそれぞれの使用に関してフィットさせられ得るようになっている。
【００２８】
理想的には、まつ毛は、材料の中に埋め込まれており、ユーザーが、リアルな人と同様の様式で埋め込まれているまつ毛に隣接して、個々のまたは複数のまつ毛を位置決めすることを練習することができるようになっている。
【００２９】
理想的には、少なくとも上側まぶたは、クロージャー・メカニズムを含み、クロージャー・メカニズムは、前記上側まぶたが、少なくとも目を見開いた第１の位置から目を閉じた第２の位置へ、それらの間の複数の中間位置を通って動くことを可能にする。このように、装置は、たとえば、半分閉じた目をシミュレートすることが可能である。
【００３０】
いくつかの他の実施形態では、下側まぶたも、クロージャー・メカニズムを含むことが可能である。このように、装置は、まばたきなどのようなまぶたの動きを完了することをシミュレートすることが可能である。
【００３１】
装置は、複数の別個の位置において、まぶたが固定されることを可能にするように配置されている。クロージャー・メカニズムは、まぶたのインクリメンタルな開閉を提供するように適合され得る。たとえば、クロージャー・メカニズムは、ラチェットを含むことが可能であり、ラチェットは、ラチェットの動作によって、典型的に、制御手段によって、徐々にまぶたを開閉させることを可能にする。それによって、ラチェットは、たとえば、ダイアル、レバー、またはボタンによって、ラチェットを活性化させることによって、事前設定された配向の選択が実現されることを可能にする。
【００３２】
いくつかの実施形態では、まぶたは、ピボットの上に装着され得り、そのまぶた、またはそれぞれのまぶたが、その位置を変更させるために、ピボットの周りに回転させられることができるようになっている。
【００３３】
いくつかの実施形態では、クロージャー・メカニズムは自動的であることも可能である。これは、まつ毛エクステンションの適用を練習するための装置が、目の動きをシミュレートすることができること可能にし、目の動きは、アクチュエーターに送られる信号に応じてランダム様式で作動させられ得り、まばたきがシミュレートされるようになっている。
【００３４】
いくつかの実施形態では、まぶたの動きは、電気スイッチによって制御され、たとえば、まばたき、ぴくぴく動くこと、または、目を細める応答を発生させることが可能である。まばたきまたは目を細める応答は、プログラム可能であり得り、メイクアップまたはまつ毛の適用の間に起こり得る自然なまぶたの動きを再現するために、間欠的なまばたきまたは目を細めることが、ランダムな瞬間に起こるようになっている。
【００３５】
好ましくは、クロージャー・メカニズムは、垂直方向の平面に沿って上下方向へのまぶたの動きを可能にするように配置されており、アイ・ゾーンを開閉させるようになっている。
【００３６】
いくつかの実施形態では、上側まぶたおよび下側まぶたのクロージャー・メカニズムは、別々のまたは独立したメカニズムであることが可能であり、上側まぶたおよび／または下側まぶたの別々のまたは独立した使用を可能にするようになっている。
【００３７】
代替的な実施形態では、それぞれのアイ・ゾーンの上側まぶたおよび下側まぶたの動きはリンク接続され得り、上側まぶたおよび下側まぶたが一緒に動くようになっている。
【００３８】
いくつかの他の実施形態では、単一のメカニズムが、２つ以上のアイ・ゾーンの中のまぶたの開閉を制御するために設けられてもよい。このように、たとえば、１対のアイ・ゾーンが、同時に閉じられることができる。
【００３９】
一層さらなる実施形態では、クロージャー・メカニズムは、ユーザーの好みおよび制御にしたがって、共同でまたは別々に動作可能であり得る。たとえば、装置は、動くまぶたを備えた第１のアイ・ゾーンと、固定されたまぶたを備えた第２のアイ・ゾーンとを有するように設定され得り、または、まぶたは、１つのプロセスに関して固定されており、次いで、別のプロセスに関して可動であり得る。
【００４０】
いくつかの実施形態では、支持部分は、ベースおよびスタンドを含む。ベースは、テーブルまたは棚などのような任意の下位の構造体との接触表面を含むことが可能である。
【００４１】
いくつかの実施形態では、スタンドは、ベースから直立している直立部材と、フェイス・セクション・サポート・コネクターとを含み、フェイス・セクションは、個々のフェイスに同等のパーツを含む。好ましくは、フェイス・セクションは、使用時にユーザーの方を向く人間の顔を再現する外部表面を有している。
【００４２】
サポート・コネクターは、同様の動きの範囲を可能にする、脊椎骨を複製するセクションの形態であることが可能である。
【００４３】
ヘッドは、好ましくは、人間のヘッドを表すように形状決めされている。
【００４４】
ヘッドは、皮膚の外側層を備えた頭蓋骨を表すように形状決めされ得る。
【００４５】
サポート・コネクターは、フェイス・セクションとスタンドとの間のスケルトンおよびインターフェースを含むことが可能であり、それは、使用時に内部でスタンドの方を向いている。たとえば、インターフェースは、人間の首を表すことが可能である。
【００４６】
いくつかの実施形態では、サポート・コネクターは、ベースを基準にしたフェイスの移動を可能にする。
【００４７】
たとえば、いくつかの実施形態では、フェイスは、上下に移動すること、および／または、傾くこともしくはねじれることを可能にされ得る。いくつかの実施形態では、フェイスは、スタンドに対して任意の軸線の周りに傾けられることができ、ヘッドの動きをシミュレートするようになっており、または、フェイスが、たとえば、座っているかまたは横たわっているような、ユーザーの異なる配向を反映することを可能にするようになっている。フェイス・サポートは、ボール・ジョイントを含むことが可能であり、適切な動きの範囲を可能にする。
【００４８】
このように、ユーザーは、有利には、対象者のリアルな動きの能力を紹介されることができ、クライアント・トリートメント技法を完全なものにするようになっている。
【００４９】
いくつかの実施形態では、フェイス・セクションは、ヘッドの一部を含むことが可能である。ヘッドは、スタンドの上に支持され得り、フェイス・セクションは、ヘッドの上に支持され得る。
【００５０】
別の実施形態では、装置は、複数のフェイス・セクションを含むことが可能であり、たとえば、装置が２面を持つようにされており、２人の練習者が１つの装置の上で作業することを可能にするようになっている。
【００５１】
ベースは、ウェイトを含むことが可能であり、転倒することによる傷害の損傷の可能性を最小化するようになっており、また、移動することに対するフェイスの抵抗を最大化するようになっている。ベースを基準にしたフェイスの移動は、可変であり、および／または、抵抗を受けることが可能である。
【００５２】
いくつかの実施形態では、フェイスは、「ワイプ・クリーン」表面を含むことが可能であり、メイクアップ、または、まつ毛を固着させるための接着剤などのような、塗布された物質が容易に除去されることを可能にするようになっている。
【００５３】
いくつかの実施形態では、この表面は、理想的には、皮膚のような品質を提供するために、実物そっくりな材料、たとえば、シリコーンを含む。この材料は、まつ毛および／またはメイクアップを受け入れるのに適切である。
【００５４】
フェイスは、交換可能なまたは変位可能なパーツを有しており、トレーニング目的、および、複数の異なる配置でのフェイスの配置を可能にするようになっており、また、損傷を受けたまたは摩耗したパーツの交換を可能にするようになっている。
【００５５】
ここで、本発明の好適な実施形態が、単なる例として、および、図を参照して、説明されることとなる。
【図面の簡単な説明】
【００５６】
【図１】本発明による装置の実施形態の等角図である。
【図２】図１に示されている実施形態の逆向きの等角図である。
【図３】図１に示されている実施形態の分解等角図である。
【図４】図１に示されている実施形態の逆向きの分解等角図である。
【図５】図１に示されている実施形態のフェイスの等角詳細図である。
【図６】図１に示されている実施形態のフェイスの逆向きの等角詳細図である。
【図７】図１に示されている実施形態のベースの等角図である。
【図８】図１に示されている実施形態とともに使用するためのまぶたの等角図である。
【図９】まぶたおよびまつ毛のスケッチを示す図、および、その実施形態の断面図である。
【発明を実施するための形態】
【００５７】
図を参照すると、ベース１２およびフェイス３を含む装置の実施形態が示されており、フェイスは、フルヘッドの上に担持されている。
【００５８】
ヘッドおよびベース１２は、ボール１３およびソケット１０のジョイントにおいて、摩擦締め付け調節メカニズム１１によって接続されており、摩擦締め付け調節メカニズム１１は、ダイアル１１１およびグラブ・スクリュー１１０を含み、２つの部品からなる締め付け可動カラムが、ソケット１０を含み、ボール１３は、ヘッドの最下部ポイントを含むプレートから延在している。
【００５９】
ボール１３は、調節可能であり、ソケット１０ジョイントは、ヘッドが全ての軸線方向に傾くことを可能にする。これは、人間のヘッドのものと同様であることとなる動きを可能にする。カラムは、接続プレート２０を挟む２つのパーツ２８、２９を含み、プレートは、ベースの中のスロット１８を通過する（図３を参照）。パーツは、ウォーム・スクリューの上を相互にトラベルし、プレートを留めるかまたは解放するようになっている。ベースは、ウェイト・フレーム１６を含み、ウェイト・フレーム１６は、ボルト１７を使用してベースに固定されており、装置のバランスの中心を低下させている。
【００６０】
ヘッドは、３つのパーツを含み、すなわち、フェイス３およびシェル（左シェルセクション１および右シェルセクション２で提供される）を含む。シェルセクション１、２は、それぞれの側部にチャネル５を提供しており、チャネル５のそれぞれは、コントロールの垂直方向のトラベルを可能にし、コントロールは、レバー１４を制御し、レバー１４は、チャネルの中のスロット１９の中を移動し、ピボット３０の上で枢動する部材２２と接続している。可動の直交部分２３は、上まぶた２６およびまぶたセクション２５を担持しており、まぶたセクション２５は、眼が「閉じられる」ときに上まぶたを提供するために上まぶたを越えて延在する湾曲したセクションを含む。また、眉毛が、パッド・プリンティング・プロセスを使用して追加されている。
【００６１】
このように、それぞれの側部のレバー１４は、チャネル５の中を変位させられ、それぞれの別々のアイ・ゾーン６の中の上まぶたおよびまつ毛の垂直方向の位置を変化させることが可能である。したがって、有利な実施形態は、複数の異なるまつ毛位置が、まつ毛エクステンションを取り付けるさまざまなスタイル、技法、およびアプローチに適応することを可能にする。
【００６２】
フェイス３の前面は、下まぶたの上方に、上向きに延在する眼球セクション４０（図９を参照）を含み、それは、眼球が別々のパーツであることの必要性に取って代わる。このセクションは、目の瞳孔特徴をパッド・プリントされており、目が「開いている」ときを示すようになっている。
【００６３】
目は、ヘッドのそれぞれの側部のアーム／レバー１４によって、独立して制御される。目は、８０°の回転を可能にするように開発されており、３つの異なる位置にロックすることが可能である。
【００６４】
ユーザーは、オープン、クローズド、または、それらの間の中間のオプションを有している。レバー部分２３が通るセクション３８、４１の対応するパーツは、３つの位置、すなわち、オープン、クローズド、およびハーフ・オープンに対応するバンプ・インターフェレンス・フィット（ｂｕｍｐ  ｉｎｔｅｒｆｅｒｅｎｃｅ  ｆｉｔｓ）を含む。
【００６５】
まぶたは、インデンテーション３９の中のセクションの中へ摩擦フィットされており、容易な交換を可能にする。
【００６６】
レバー１４などのようなコントロールは、アイ・ゾーンからさらに後ろへ位置決めされており、まつ毛およびマスカラ／半永久的マスカラおよびまつ毛パーマを適用するために、障害物がないアクセスを可能にする。
【００６７】
まつ毛のストリップは、ミンクのまつ毛の標準的なストリップ、ならびに、セクション接続スタッド３２およびレイヤー３１を備えたアダプターを含む薄いポリプロピレン・クランプの使用を通して、リアルな効果を提供し、レイヤー３１は、リビング・ヒンジ３０によって一緒にヒンジ接続されており、１．５ｍｍの厚さを有している。まつ毛３５は、ベース３４から延在しており、ベース３４は、２つのレイヤーの間に固定されており、２つのレイヤーは、リビング・ヒンジを使用して折り畳まれ、一緒にスナップ・フィットする。レイヤーの上のマッチする隆起した歯および低下した歯３６は、一時的な固定を生成する。
【００６８】
これは、ストリップが可撓性となること、湾曲すること、および、まぶたの上のスロットの中へフィットすることを可能にする。後面にあるスタッドは、ストリップが適切な場所に固着されると、ストリップが外へ出てくることを阻止する。側部にある小さいタブ３３は、アイ・ゾーンからの除去を可能にする。
【００６９】
これらのストリップは、２つの異なるサイズ、すなわち、４８０ｍｍおよび３４０ｍｍで供給され、１つは、上まぶたのためのものであり、１つは下まぶたのためのものである。組み立ては、製造業者によって完了され得り、事前決定された量だけ使用のために準備された状態で販売されるか、または、異なるまつ毛が、使用時もしくは使用前に、レイヤー同士の間に挿入され得る。
【００７０】
ヘッドのセクション同士は一緒に結合され、また、より多くのリアリズムを実現するように髪が含まれ得り、パーツが接合するスプリット・ラインを使用して、生え際が生成され得る。
【００７１】
装置は、まつ毛が完成したときにまつ毛をディスプレイためのプレゼンテーション・ボードによって補完されるか、または、そのプレゼンテーション・ボードを供給され得り、ボードは、たとえば、わずかにドーム状になっており、可能な限り最もリアルな方式でまつ毛が置かれるようになっている。ボードは、合計で１２対のまつ毛を保持することが可能であり、それぞれのまつ毛の下にネーム・タグのためのスロットを含む。
【００７２】
本発明は、単なる例として説明されてきており、特許請求の範囲によって定義されているような発明の範囲から逸脱することなく、上述の実施形態に対して変形を行うことが可能であるということが認識されることとなる。
【図１】
2019508199.tif 000003
【図２】
2019508199.tif 000004
【図３】
2019508199.tif 000005
【図４】
2019508199.tif 000006
【図５ａ】
2019508199.tif 000007
【図５ｂ】
2019508199.tif 000008
【図６ａ】
2019508199.tif 000009
【図６ｂ】
2019508199.tif 000010
【図７ａ】
2019508199.tif 000011
【図７ｂ】
2019508199.tif 000012
【図８ａ】
2019508199.tif 000013
【図８ｂ】
2019508199.tif 000014
【図８ｃ】
2019508199.tif 000015
【図８ｄ】
2019508199.tif 000016
【図９ａ】
2019508199.tif 000017
【図９ｂ】
2019508199.tif 000018
【国際調査報告】
2019508199.tif 000019
2019508199.tif 000020
2019508199.tif 000021
2019508199.tif 000022